【手続補正書】
【提出日】令和1年6月17日(2019.6.17)
【手続補正１】
【補正対象書類名】明細書
【補正対象項目名】０００６
【補正方法】変更
【補正の内容】
【０００６】
しかしながら、特許文献１では、遊技履歴の集計に関して未だ改善の余地がある。
【手続補正２】
【補正対象書類名】明細書
【補正対象項目名】０００７
【補正方法】変更
【補正の内容】
【０００７】
本発明は、上記課題に鑑みてなされたものであり、遊技履歴の集計に特徴を持った遊技機を提供することを目的とする。
【手続補正３】
【補正対象書類名】明細書
【補正対象項目名】０００８
【補正方法】変更
【補正の内容】
【０００８】
上記した目的を達成するために、本発明の遊技機は、遊技機において、遊技の進行に関する制御を行うメイン制御手段と表示手段とを備え、前記メイン制御手段は、遊技に関わる情報のうち特定の情報に係るデータを集計する集計手段と、前記集計手段により集計されたデータを用いて所定の演算を行う演算手段と、遊技履歴の種類と、当該種類に対応する前記演算手段による演算結果に基づく遊技履歴の値とを含む遊技履歴情報を、前記表示手段に表示する制御を行う表示制御手段と、特定事象が発生したか否かを検知する検知手段と、前記検知手段が前記特定事象の発生を検知したことに基づいて遊技の進行ができないように遊技の停止を行う遊技停止手段とを備え、前記表示手段は、前記遊技履歴の種類を表示するための２個の７セグメントディスプレイと、前記遊技履歴の値を表示するための２個の７セグメントディスプレイとを有し、前記７セグメントディスプレイそれぞれは表示素子からなる点灯可能箇所を複数有し、前記表示制御手段は、前記遊技履歴情報を表示するときに第１の点灯態様で前記表示手段を制御する通常制御と、前記特定事象のうちの所定の特定事象のときに前記第１の点灯態様とは異なる第２の点灯態様で前記表示手段を制御する特殊制御とを実行し、前記第１の点灯態様は、前記表示手段の一部の点灯可能箇所を除いた他の点灯可能箇所を用いるものであり、前記第２の点灯態様は、前記表示手段の前記一部の点灯可能箇所を少なくとも用いるものであり、前記検知手段により前記所定の特定事象が検知されたときに、前記遊技停止手段は遊技の停止を行うとともに、前記表示制御手段は前記特殊制御を行い、前記集計手段が集計するデータには総遊技数に係るデータが含まれており、前記表示制御手段は、前記総遊技数に係るデータの集計値が、第１規定値未満の場合には前記遊技履歴の種類を点滅表示させ、前記総遊技数に係るデータの集計値が、当該第１規定値以上の場合には前記遊技履歴の種類を点灯表示させ、前記演算手段による演算結果が、第２規定値以上の場合には前記遊技履歴の値を点滅表示させ、前記演算手段による演算結果が、当該第２規定値未満の場合には前記遊技履歴の値を点灯表示させることを特徴としている。この構成によると、遊技履歴の集計に特徴を持った遊技機を提供することができる。
また、遊技機は、複数種類の図柄を可変表示する複数の可変表示列を有する図柄表示手段と、前記図柄表示手段の可変表示を開始させるスタートスイッチと、前記複数の可変表示列それぞれに対応してその可変表示を停止させるストップスイッチとを有する遊技機において、遊技の進行に関する制御を行うメイン制御手段が設けられ、基板ケース内に収容されたメイン制御基板を備え、前記メイン制御手段は、複数種類の役について当選か否かを決定する役抽選を行う役抽選手段と、前記ストップスイッチの夫々に対する操作に基づき前記複数の可変表示列の夫々の可変表示を停止する停止制御を行う停止制御手段と、前記停止制御手段による停止制御により停止した前記複数の可変表示列の図柄の組合せに基づいて、前記役抽選手段の役抽選の結果当選した役に入賞したか否かを判定する入賞判定手段と、前記入賞判定手段による判定結果に基づいて遊技媒体の払出処理を行う払出制御手段と、遊技に関わる情報のうち特定の情報に係るデータを前記入賞判定手段による判定結果に基づいて集計する集計手段と、前記集計手段により集計されたデータを用いて所定の演算を行う演算手段と、前記演算手段による演算結果を含む遊技履歴情報を、前記メイン制御基板に搭載されて前記基板ケース内に外部から視認可能なように収納された表示手段に表示する制御を行う表示制御手段とを備え、前記特定の情報には遊技媒体の払出数が含まれており、前記集計手段による集計は、前記入賞判定手段による判定の後であって、前記払出制御手段による払出処理の前に行われることを特徴としている。この構成によると、集計手段による集計を入賞判定手段による判定の後で、払出制御手段による払出処理の前に行うようになっているため、遊技媒体の払出処理の途中で電断が生じ、その後、復電する際に初期化を伴った場合であっても、例えば遊技媒体の払い出し中に不意に設定変更が生じた場合であっても、集計処理が既に行われている。このため、検査者による遊技履歴情報の検査または確認が容易に行えるとともに、遊技媒体の払出処理の途中で電断が生じ、その後、復電する際に初期化を伴った場合であっても、例えば遊技媒体の払い出し中に不意に設定変更が生じた場合であっても遊技媒体の払出数などを正確に集計することができる。
【手続補正４】
【補正対象書類名】特許請求の範囲
【補正対象項目名】全文
【補正方法】変更
【補正の内容】
【特許請求の範囲】
【請求項１】
遊技機において、
遊技の進行に関する制御を行うメイン制御手段と表示手段とを備え、
前記メイン制御手段は、
遊技に関わる情報のうち特定の情報に係るデータを集計する集計手段と、
前記集計手段により集計されたデータを用いて所定の演算を行う演算手段と、
遊技履歴の種類と、当該種類に対応する前記演算手段による演算結果に基づく遊技履歴の値とを含む遊技履歴情報を、前記表示手段に表示する制御を行う表示制御手段と、
特定事象が発生したか否かを検知する検知手段と、
前記検知手段が前記特定事象の発生を検知したことに基づいて遊技の進行ができないように遊技の停止を行う遊技停止手段と
を備え、
前記表示手段は、前記遊技履歴の種類を表示するための２個の７セグメントディスプレイと、前記遊技履歴の値を表示するための２個の７セグメントディスプレイとを有し、
前記７セグメントディスプレイそれぞれは表示素子からなる点灯可能箇所を複数有し、
前記表示制御手段は、
前記遊技履歴情報を表示するときに第１の点灯態様で前記表示手段を制御する通常制御と、
前記特定事象のうちの所定の特定事象のときに前記第１の点灯態様とは異なる第２の点灯態様で前記表示手段を制御する特殊制御と
を実行し、
前記第１の点灯態様は、前記表示手段の一部の点灯可能箇所を除いた他の点灯可能箇所を用いるものであり、
前記第２の点灯態様は、前記表示手段の前記一部の点灯可能箇所を少なくとも用いるものであり、
前記検知手段により前記所定の特定事象が検知されたときに、前記遊技停止手段は遊技の停止を行うとともに、前記表示制御手段は前記特殊制御を行い、
前記集計手段が集計するデータには総遊技数に係るデータが含まれており、
前記表示制御手段は、
前記総遊技数に係るデータの集計値が、第１規定値未満の場合には前記遊技履歴の種類を点滅表示させ、
前記総遊技数に係るデータの集計値が、当該第１規定値以上の場合には前記遊技履歴の種類を点灯表示させ、
前記演算手段による演算結果が、第２規定値以上の場合には前記遊技履歴の値を点滅表示させ、
前記演算手段による演算結果が、当該第２規定値未満の場合には前記遊技履歴の値を点灯表示させる
ことを特徴とする遊技機。